(57)【特許請求の範囲】
【請求項１】
第１の無線デバイスの偏波を、追加の無線デバイスの偏波を用いて調整する方法であって、前記偏波は、少なくとも２つの直交偏波アンテナを備えるアンテナ構成によって生成され、前記第１及び追加の無線デバイス（５００ａ、５００ｂ）は、少なくとも１つの他の無線デバイス（５９０）とワイヤレスに通信し、
垂直又は水平の偏波を生成する前記アンテナ構成の第１の振幅及び／又は位相オフセットと、前記第１の振幅及び／又は位相オフセットによって生成された前記偏波に対して直交する偏波を生成する前記アンテナ構成の第２の振幅及び／又は位相オフセットとを確立するステップ（３１０）と、
前記第１の振幅及び／又は位相オフセットによって生成される前記偏波が垂直であり、第２の振幅及び／又は位相オフセットによって生成される偏波が水平であるものと、定義するステップ（３２０）と、
前記他の無線デバイスのうちの少なくとも１つの偏波を決定するステップ（３３０）と、
前記決定された偏波に基づいて、前記定義された偏波を前記追加の無線デバイスの偏波と調整するステップ（３４０）と、
が前記第１の無線デバイスによって実行されることを特徴とし、
前記定義された偏波を調整するステップ（３４０）が、
前記決定された偏波を、前記第１及び追加の無線デバイスに接続された制御デバイス、又は前記追加の無線デバイスに、転送するステップ（３４１）と、
前記制御デバイスから、又は前記追加の無線デバイスから、交換の命令を受信した場合、前記第１の振幅及び／又は位相オフセットによって生成された前記偏波の前記定義と、前記第２の振幅及び／又は位相オフセットによって生成された前記偏波の前記定義とを、交換するステップ（３４２）と、を含む、方法。
【請求項２】
第１の無線デバイスの偏波を、追加の無線デバイスの偏波を用いて調整する方法であって、前記偏波は、少なくとも２つの直交偏波アンテナを備えるアンテナ構成によって生成され、前記第１及び追加の無線デバイス（５００ａ、５００ｂ）は、少なくとも１つの他の無線デバイス（５９０）とワイヤレスに通信し、
垂直又は水平の偏波を生成する前記アンテナ構成の第１の振幅及び／又は位相オフセットと、前記第１の振幅及び／又は位相オフセットによって生成された前記偏波に対して直交する偏波を生成する前記アンテナ構成の第２の振幅及び／又は位相オフセットとを確立するステップ（３１０）と、
前記第１の振幅及び／又は位相オフセットによって生成される前記偏波が垂直であり、第２の振幅及び／又は位相オフセットによって生成される偏波が水平であるものと、定義するステップ（３２０）と、
前記他の無線デバイスのうちの少なくとも１つの偏波を決定するステップ（３３０）と、
前記決定された偏波に基づいて、前記定義された偏波を前記追加の無線デバイスの偏波と調整するステップ（３４０）と、
が前記第１の無線デバイスによって実行されることを特徴とし、
前記定義された偏波を調整するステップ（３４０）が、
前記他の無線デバイスのうちの少なくとも１つの偏波を、前記追加の無線デバイスから取り出すステップ（３４３）と、
前記取り出された偏波が前記決定された偏波と異なる場合、偏波の不一致を確立するステップ（３４４）と、を含み、
前記調整するステップ（３４０）が、
前記偏波の不一致に関する情報を、前記第１及び追加の無線デバイスに接続された制御デバイス、又は前記追加の無線デバイスに、転送するステップ（３４５）と、
前記制御デバイスから、又は前記追加の無線デバイスから、交換の命令を受信した場合、前記第１の振幅及び／又は位相オフセットによって生成された前記偏波の前記定義と、前記第２の振幅及び／又は位相オフセットによって生成された前記偏波の前記定義とを、交換するステップ（３４２）と、
をさらに含む、方法。
【請求項３】
第１の無線デバイスの偏波を、追加の無線デバイスの偏波を用いて調整する方法であって、前記偏波は、少なくとも２つの直交偏波アンテナを備えるアンテナ構成によって生成され、前記第１及び追加の無線デバイス（５００ａ、５００ｂ）は、少なくとも１つの他の無線デバイス（５９０）とワイヤレスに通信し、
垂直又は水平の偏波を生成する前記アンテナ構成の第１の振幅及び／又は位相オフセットと、前記第１の振幅及び／又は位相オフセットによって生成された前記偏波に対して直交する偏波を生成する前記アンテナ構成の第２の振幅及び／又は位相オフセットとを確立するステップ（３１０）と、
前記第１の振幅及び／又は位相オフセットによって生成される前記偏波が垂直であり、第２の振幅及び／又は位相オフセットによって生成される偏波が水平であるものと、定義するステップ（３２０）と、
前記他の無線デバイスのうちの少なくとも１つの偏波を決定するステップ（３３０）と、
前記決定された偏波に基づいて、前記定義された偏波を前記追加の無線デバイスの偏波と調整するステップ（３４０）と、
が前記第１の無線デバイスによって実行されることを特徴とし、
前記定義された偏波を調整するステップ（３４０）が、
前記他の無線デバイスのうちの少なくとも１つの偏波を、前記追加の無線デバイスから取り出すステップ（３４３）と、
前記取り出された偏波が前記決定された偏波と異なる場合、偏波の不一致を確立するステップ（３４４）と、を含み、
前記調整するステップ（３４０）が、偏波の不一致が確立された場合、前記第１の振幅及び／又は位相オフセットの前記定義と、前記第２の振幅及び／又は位相オフセットの前記定義とを、交換するステップ（３４６）をさらに含む、方法。
【請求項４】
第１の無線デバイスの偏波を、追加の無線デバイスの偏波を用いて調整する方法であって、前記偏波は、少なくとも２つの直交偏波アンテナを備えるアンテナ構成によって生成され、前記第１及び追加の無線デバイス（５００ａ、５００ｂ）は、少なくとも１つの他の無線デバイス（５９０）とワイヤレスに通信し、
垂直又は水平の偏波を生成する前記アンテナ構成の第１の振幅及び／又は位相オフセットと、前記第１の振幅及び／又は位相オフセットによって生成された前記偏波に対して直交する偏波を生成する前記アンテナ構成の第２の振幅及び／又は位相オフセットとを確立するステップ（３１０）と、
前記第１の振幅及び／又は位相オフセットによって生成される前記偏波が垂直であり、第２の振幅及び／又は位相オフセットによって生成される偏波が水平であるものと、定義するステップ（３２０）と、
前記他の無線デバイスのうちの少なくとも１つの偏波を決定するステップ（３３０）と、
前記決定された偏波に基づいて、前記定義された偏波を前記追加の無線デバイスの偏波と調整するステップ（３４０）と、
が前記第１の無線デバイスによって実行されることを特徴とし、
前記定義された偏波を調整するステップ（３４０）が、
前記他の無線デバイスのうちの少なくとも１つの偏波を、前記追加の無線デバイスから取り出すステップ（３４３）と、
前記取り出された偏波が前記決定された偏波と異なる場合、偏波の不一致を確立するステップ（３４４）と、を含み、
前記調整するステップ（３４０）が、偏波の不一致が確立された場合、前記追加の無線デバイスに前記偏波の前記定義の交換を命じるステップ（３４７）をさらに含む、方法。
【請求項５】
前記決定するステップ（３３０）が、
受信アンテナ構成の前記確立された第１及び第２の振幅及び／又は位相オフセットを適用する場合、前記他の無線デバイスのうちの少なくとも１つから受信する信号の電力を測定するステップ（３３１）と、
前記測定された電力に基づいて、前記他の無線デバイスのうちの少なくとも１つの前記偏波を決定するステップ（３３２）と、
を含む、請求項１から４のいずれか一項に記載の方法。
【請求項６】
前記決定するステップ（３３０）が、
送信アンテナ構成の前記確立された第１及び第２の振幅及び／又は位相オフセットを適用する場合、前記他の無線デバイスのうちの少なくとも１つへの送信の品質インジケータを測定するステップ（３３３）と、
前記測定された品質インジケータに基づいて、前記他の無線デバイスのうちの少なくとも１つの前記偏波を決定するステップ（３３４）と、
を含む、請求項１から５のいずれか一項に記載の方法。
【請求項７】
前記確立するステップ（３１０）が、
受信アンテナ構成のいくつかの第１及び第２の振幅及び／又は位相オフセット候補を評価するステップ（３１１）と、
前記評価に基づいて、前記いくつかの第１及び第２の振幅及び／又は位相オフセット候補の中から、前記受信アンテナ構成の第１及び第２の振幅及び／又は位相オフセットを選択するステップ（３１２）と、
を含む、請求項１から６のいずれか一項に記載の方法。
【請求項８】
前記確立するステップ（３１０）が、
前記他の無線デバイスのうちの少なくとも１つとの通信の事前に決定された品質インジケータが取得されるまで、送信アンテナ構成の第１の振幅及び／又は位相オフセットを調整するステップ（３１３）と、
前記送信アンテナ構成の前記第１の振幅及び／又は位相オフセットに基づいて、前記送信アンテナ構成の第２の振幅及び／又は位相オフセットを計算するステップ（３１４）と、
を含む、請求項１から７のいずれか一項に記載の方法。
【請求項９】
前記定義するステップ（３２０）が、
前記受信及び送信のアンテナ構成の第１の振幅及び／又は位相オフセットによって生成される前記偏波を垂直であるもの、及び前記受信及び送信のアンテナ構成の第２の振幅及び／又は位相オフセットによって生成される前記偏波を水平であるもの、と定義するステップ（３２１）と、
前記受信アンテナ構成の前記第１及び第２の振幅及び／又は位相オフセットによって生成される前記定義された偏波を、前記送信アンテナ構成の前記第１及び第２の振幅及び／又は位相オフセットによって生成される前記定義された偏波と調整するステップ（３２２）と、
を含む、請求項７または８に記載の方法。
【請求項１０】
前記第１及び追加の無線デバイスが無線基地局内の無線チェーン又はユーザ機器内の無線チェーンであり、前記他の無線デバイスが無線基地局又はユーザ機器である、請求項１から８のいずれか一項に記載の方法。
【請求項１１】
前記無線デバイスが無線基地局又はユーザ機器である、請求項１から９のいずれか一項に記載の方法。
【請求項１２】
第１の無線デバイスの偏波を追加の無線デバイスの偏波と調整する制御デバイスに関する方法であって、前記制御デバイスは前記第１及び追加の無線デバイスに接続され、前記偏波は、少なくとも２つの直交偏波アンテナを備えるアンテナ構成によって生成され、前記第１及び追加の無線デバイスは、少なくとも１つの他の無線デバイスとワイヤレスに通信し、
前記少なくとも１つの他の無線デバイスの偏波に関する情報を、前記第１及び追加の無線デバイスのうちの少なくとも１つから取り出すステップ（４１０）と、
前記取り出された情報が偏波の不一致を示す場合、前記第１及び追加の無線デバイスのうちの少なくとも１つに前記生成された偏波の定義の交換を命じるステップ（４２０）と、
を特徴とする、方法。
【請求項１３】
前記取り出すステップ（４１０）が、
前記第１及び追加の無線デバイスから、前記少なくとも１つの他の無線デバイスの前記偏波を取り出すステップと、
前記取り出された偏波が異なる場合、前記偏波の不一致を確立するステップと、
を含む、請求項１２に記載の方法。
【請求項１４】
前記取り出すステップ（４１０）が、前記偏波の不一致に関する情報を、前記第１及び追加の無線デバイスのうちの少なくとも１つから取り出すステップを含む、請求項１２に記載の方法。
【請求項１５】
少なくとも２つの直交偏波アンテナを伴うアンテナ構成（５０１ａ、５０２ａ）を備える、第１の無線デバイス（５００ａ）であって、前記第１の無線デバイス（５００ａ）は、前記アンテナ構成（５０１ａ、５０２ａ）によって生成された偏波を、追加の無線デバイス（５００ｂ）のアンテナ構成（５０１ｂ、５０２ｂ）によって生成された偏波と調整するように構成され、前記第１及び追加の無線デバイス（５００ａ、５００ｂ）は、少なくとも１つの他の無線デバイス（５９０）とワイヤレスに通信するように構成され、前記第１の無線デバイスが、
垂直又は水平の偏波を生成する前記アンテナ構成（５０１ａ、５０２ａ）の第１の振幅及び／又は位相オフセットと、前記第１の振幅及び／又は位相オフセットによって生成された前記偏波に対して直交する偏波を生成するアンテナ構成（５０１ａ、５０２ａ）の第２の振幅及び／又は位相オフセットとを確立するように配置構成された、確立ユニット（５０４ａ）と、
前記第１の振幅及び／又は位相オフセットによって生成される前記偏波が垂直であり、前記第２の振幅及び／又は位相オフセットによって生成される前記偏波が水平であるものと、定義するように配置構成された、定義ユニット（５０５ａ）と、
前記他の無線デバイス（５９０）のうちの少なくとも１つの偏波を決定するように配置構成された、決定ユニット（５０６ａ）と、
前記決定された偏波に基づいて、前記定義された偏波を前記追加の無線デバイスの前記偏波と調整するように配置構成された、調整ユニット（５０７ａ）と、
を備え、
前記調整ユニット（５０７ａ）が、
前記決定された偏波を、前記第１及び追加の無線デバイスに接続された制御デバイス、又は前記追加の無線デバイスに、転送するように、及び
前記制御デバイスから、又は前記追加の無線デバイスから、交換の命令を受信した場合、前記第１の振幅及び／又は位相オフセットによって生成された前記偏波の前記定義と、前記第２の振幅及び／又は位相オフセットによって生成された前記偏波の前記定義とを、交換するように、
さらに配置構成される、第１の無線デバイス。
【請求項１６】
少なくとも２つの直交偏波アンテナを伴うアンテナ構成（５０１ａ、５０２ａ）を備える、第１の無線デバイス（５００ａ）であって、前記第１の無線デバイス（５００ａ）は、前記アンテナ構成（５０１ａ、５０２ａ）によって生成された偏波を、追加の無線デバイス（５００ｂ）のアンテナ構成（５０１ｂ、５０２ｂ）によって生成された偏波と調整するように構成され、前記第１及び追加の無線デバイス（５００ａ、５００ｂ）は、少なくとも１つの他の無線デバイス（５９０）とワイヤレスに通信するように構成され、前記第１の無線デバイスが、
垂直又は水平の偏波を生成する前記アンテナ構成（５０１ａ、５０２ａ）の第１の振幅及び／又は位相オフセットと、前記第１の振幅及び／又は位相オフセットによって生成された前記偏波に対して直交する偏波を生成するアンテナ構成（５０１ａ、５０２ａ）の第２の振幅及び／又は位相オフセットとを確立するように配置構成された、確立ユニット（５０４ａ）と、
前記第１の振幅及び／又は位相オフセットによって生成される前記偏波が垂直であり、前記第２の振幅及び／又は位相オフセットによって生成される前記偏波が水平であるものと、定義するように配置構成された、定義ユニット（５０５ａ）と、
前記他の無線デバイス（５９０）のうちの少なくとも１つの偏波を決定するように配置構成された、決定ユニット（５０６ａ）と、
前記決定された偏波に基づいて、前記定義された偏波を前記追加の無線デバイスの前記偏波と調整するように配置構成された、調整ユニット（５０７ａ）と、
を備え、
前記調整ユニット（５０７ａ）が、
前記他の無線デバイスのうちの少なくとも１つの偏波を、前記追加の無線デバイスから取り出すように、及び
前記取り出された偏波が前記決定された偏波と異なる場合、偏波の不一致を確立するように、
さらに配置構成され、
前記調整ユニット（５０７ａ）が、
前記偏波の不一致に関する情報を、前記第１及び追加の無線デバイスに接続された制御デバイス、又は前記追加の無線デバイスに、転送するように、及び
前記制御デバイスから、又は前記追加の無線デバイスから、交換の命令を受信した場合、前記第１の振幅及び／又は位相オフセットによって生成された前記偏波の前記定義と、前記第２の振幅及び／又は位相オフセットによって生成された前記偏波の前記定義とを、交換するように、
さらに配置構成される、第１の無線デバイス。
【請求項１７】
少なくとも２つの直交偏波アンテナを伴うアンテナ構成（５０１ａ、５０２ａ）を備える、第１の無線デバイス（５００ａ）であって、前記第１の無線デバイス（５００ａ）は、前記アンテナ構成（５０１ａ、５０２ａ）によって生成された偏波を、追加の無線デバイス（５００ｂ）のアンテナ構成（５０１ｂ、５０２ｂ）によって生成された偏波と調整するように構成され、前記第１及び追加の無線デバイス（５００ａ、５００ｂ）は、少なくとも１つの他の無線デバイス（５９０）とワイヤレスに通信するように構成され、前記第１の無線デバイスが、
垂直又は水平の偏波を生成する前記アンテナ構成（５０１ａ、５０２ａ）の第１の振幅及び／又は位相オフセットと、前記第１の振幅及び／又は位相オフセットによって生成された前記偏波に対して直交する偏波を生成するアンテナ構成（５０１ａ、５０２ａ）の第２の振幅及び／又は位相オフセットとを確立するように配置構成された、確立ユニット（５０４ａ）と、
前記第１の振幅及び／又は位相オフセットによって生成される前記偏波が垂直であり、前記第２の振幅及び／又は位相オフセットによって生成される前記偏波が水平であるものと、定義するように配置構成された、定義ユニット（５０５ａ）と、
前記他の無線デバイス（５９０）のうちの少なくとも１つの偏波を決定するように配置構成された、決定ユニット（５０６ａ）と、
前記決定された偏波に基づいて、前記定義された偏波を前記追加の無線デバイスの前記偏波と調整するように配置構成された、調整ユニット（５０７ａ）と、
を備え、
前記調整ユニット（５０７ａ）が、
前記他の無線デバイスのうちの少なくとも１つの偏波を、前記追加の無線デバイスから取り出すように、及び
前記取り出された偏波が前記決定された偏波と異なる場合、偏波の不一致を確立するように、
さらに配置構成され、
前記調整ユニット（５０７ａ）が、偏波の不一致が確立された場合、前記第１の振幅及び／又は位相オフセットによって生成された前記偏波の前記定義と、前記第２の振幅及び／又は位相オフセットによって生成された前記偏波の前記定義とを、交換するように、さらに配置構成される、第１の無線デバイス。
【請求項１８】
少なくとも２つの直交偏波アンテナを伴うアンテナ構成（５０１ａ、５０２ａ）を備える、第１の無線デバイス（５００ａ）であって、前記第１の無線デバイス（５００ａ）は、前記アンテナ構成（５０１ａ、５０２ａ）によって生成された偏波を、追加の無線デバイス（５００ｂ）のアンテナ構成（５０１ｂ、５０２ｂ）によって生成された偏波と調整するように構成され、前記第１及び追加の無線デバイス（５００ａ、５００ｂ）は、少なくとも１つの他の無線デバイス（５９０）とワイヤレスに通信するように構成され、前記第１の無線デバイスが、
垂直又は水平の偏波を生成する前記アンテナ構成（５０１ａ、５０２ａ）の第１の振幅及び／又は位相オフセットと、前記第１の振幅及び／又は位相オフセットによって生成された前記偏波に対して直交する偏波を生成するアンテナ構成（５０１ａ、５０２ａ）の第２の振幅及び／又は位相オフセットとを確立するように配置構成された、確立ユニット（５０４ａ）と、
前記第１の振幅及び／又は位相オフセットによって生成される前記偏波が垂直であり、前記第２の振幅及び／又は位相オフセットによって生成される前記偏波が水平であるものと、定義するように配置構成された、定義ユニット（５０５ａ）と、
前記他の無線デバイス（５９０）のうちの少なくとも１つの偏波を決定するように配置構成された、決定ユニット（５０６ａ）と、
前記決定された偏波に基づいて、前記定義された偏波を前記追加の無線デバイスの前記偏波と調整するように配置構成された、調整ユニット（５０７ａ）と、
を備え、
前記調整ユニット（５０７ａ）が、
前記他の無線デバイスのうちの少なくとも１つの偏波を、前記追加の無線デバイスから取り出すように、及び
前記取り出された偏波が前記決定された偏波と異なる場合、偏波の不一致を確立するように、
さらに配置構成され、
前記調整ユニット（５０７ａ）が、偏波の不一致が確立された場合、前記追加の無線デバイスに前記偏波の前記定義の交換を命じるようにさらに配置構成される、第１の無線デバイス。
【請求項１９】
前記決定ユニット（５０６ａ）が、
受信アンテナ構成の前記確立された第１及び第２の振幅及び／又は位相オフセットを適用する場合、前記他の無線デバイスのうちの少なくとも１つから受信する信号の電力を測定するように、及び
前記測定された電力に基づいて、前記他の無線デバイスのうちの少なくとも１つの前記偏波を決定するように、
さらに配置構成される、前記請求項１５から１８のいずれか一項に記載の第１の無線デバイス。
【請求項２０】
前記決定ユニット（５０６ａ）が、
送信アンテナ構成の前記確立された第１及び第２の振幅及び／又は位相オフセットを適用する場合、前記他の無線デバイスのうちの少なくとも１つへの送信の品質インジケータを測定するように、及び
前記測定された品質インジケータに基づいて、前記他の無線デバイスのうちの少なくとも１つの前記偏波を決定するように、
さらに配置構成される、前記請求項１５から１９のいずれか一項に記載の第１の無線デバイス。
【請求項２１】
前記確立ユニット（５０４ａ）が、
受信アンテナ構成のいくつかの第１及び第２の振幅及び／又は位相オフセット候補を評価するように、及び
前記評価に基づいて、前記いくつかの第１及び第２の振幅及び／又は位相オフセット候補の中から、前記受信アンテナ構成の第１及び第２の振幅及び／又は位相オフセットを選択するように、
さらに配置構成される、前記請求項１５から２０のいずれか一項に記載の第１の無線デバイス。
【請求項２２】
前記確立ユニット（５０４ａ）が、
前記他の無線デバイスのうちの少なくとも１つとの通信の事前に決定された品質インジケータが取得されるまで、送信アンテナ構成の第１の振幅及び／又は位相オフセットを調整するように、及び
前記送信アンテナ構成の前記第１の振幅及び／又は位相オフセットに基づいて、前記送信アンテナ構成の第２の振幅及び／又は位相オフセットを計算するように、
さらに配置構成される、前記請求項１５から２１のいずれか一項に記載の第１の無線デバイス。
【請求項２３】
前記定義ユニット（５０５ａ）が、
前記受信及び送信のアンテナ構成の第１の振幅及び／又は位相オフセットによって生成される前記偏波を垂直であるもの、及び前記受信及び送信のアンテナ構成の第２の振幅及び／又は位相オフセットによって生成される前記偏波を水平であるもの、と定義するように、及び
前記受信アンテナ構成の前記第１及び第２の振幅及び／又は位相オフセットによって生成される前記定義された偏波を、前記送信アンテナ構成の前記第１及び第２の振幅及び／又は位相オフセットによって生成される前記定義された偏波と調整するように、
さらに配置構成される、前記請求項２１または２２に記載の第１の無線デバイス。
【請求項２４】
前記第１及び追加の無線デバイスが無線基地局内の無線チェーン又はユーザ機器内の無線チェーンであり、前記他の無線デバイスが無線基地局又はユーザ機器である、請求項１５から２２のいずれか一項に記載の第１の無線デバイス。
【請求項２５】
前記無線デバイスが無線基地局又はユーザ機器である、請求項１５から２３のいずれか一項に記載の第１の無線デバイス。
【請求項２６】
第１及び追加の無線デバイス（５００ａ、５００ｂ）に接続可能な制御デバイス（５８０）であって、前記第１の無線デバイスの偏波を、前記追加の無線デバイスの偏波と調整するように構成され、前記偏波は、少なくとも２つの直交偏波アンテナを備えるアンテナ構成によって生成され、前記第１及び追加の無線デバイス（５００ａ、５００ｂ）は、少なくとも１つの他の無線デバイス（５９０）とワイヤレスに通信し、
前記少なくとも１つの他の無線デバイスの偏波に関する情報を、前記第１及び追加の無線デバイスのうちの少なくとも１つから取り出すように配置構成された、取り出しユニット（５８１）と、
前記取り出された情報が偏波の不一致を示す場合、前記第１及び追加の無線デバイスのうちの少なくとも１つに前記生成された偏波の定義の交換を命じるように配置構成された、命令ユニット（５８２）と、
を備えることを特徴とする、制御デバイス。
【請求項２７】
前記取り出しユニット（５８１）が、
前記第１及び追加の無線デバイスから前記少なくとも１つの他の無線デバイスの前記偏波を取り出すように、及び
前記取り出された偏波が異なる場合、前記偏波の不一致を確立するように、
さらに配置構成される、請求項２６に記載の制御デバイス。
【請求項２８】
前記取り出しユニット（５８１）が、前記偏波の不一致に関する情報を、前記第１及び追加の無線デバイスのうちの少なくとも１つから取り出すように、さらに配置構成される、請求項２６に記載の制御デバイス。
【発明の詳細な説明】
【技術分野】
【０００１】
本発明は、一般に、無線デバイス及び制御デバイスにおける方法及び配置構成に関する。より具体的に言えば、１つの無線デバイスの他のデバイスに対するアンテナ偏波の調整に関する。
【背景技術】
【０００２】
ユニバーサル移動通信システム（ＵＭＴＳ）は、ＧＳＭの後継となるように設計された第３世代移動通信技術の１つである。３ＧＰＰロング・ターム・エボリューション（ＬＴＥ）は、より高いデータ・レート、より良い効率、より低いコストなどの、サービスの改善に関する将来の要件に対処するように、ＵＭＴＳ標準を改良するための、第３世代パートナーシップ・プロジェクト（３ＧＰＰ）内のプロジェクトである。ユニバーサル地上無線アクセス・ネットワーク（ＵＴＲＡＮ）は、ＵＭＴＳの無線アクセス・ネットワークであり、進化型ＵＴＲＡＮ（Ｅ−ＵＴＲＡＮ）は、ＬＴＥシステムの無線アクセス・ネットワークである。
【０００３】
図１に示されるように、Ｅ−ＵＴＲＡＮは、典型的には、一般にｅノードＢ（ｅＮＢ）と呼ばれる無線基地局（ＲＢＳ）１００ａ、１００ｂ、１００ｃにワイヤレスに接続された、ユーザ機器（ＵＥ）１５０ａ、１５０ｂを備える。こうしたワイヤレス通信システムでは、良好なスペクトル効率を達成するために、各セル１１０ａ、１１０ｂ、１１０ｃ内でできる限り多くの無線リソースを再使用することが望ましい。しかしながらこれは、リソースが再使用される場合は必ず、この特定のリソースを使用するリンク間の干渉（セル内又はセル間の干渉）につながる可能性がある。
【０００４】
干渉を管理するための様々な手法が知られている。１つの手法は、特定リソースにアクセス可能であるＵＥを、これらのＵＥに関するチャネル状態情報に基づいて、アクティブに選択することに依拠している。すべての可能なＵＥの中で、互いに最も干渉し合わないものを合同でスケジューリングすることができる。他の手法は、直交的に偏波された伝送間の分離が良好である（すなわち干渉が低い）場合、いわゆる偏波ベースの干渉管理と呼ばれる、無線リソースをＵＥに割り振る際にｅＮＢ及びＵＥのアンテナ偏波に関する情報を使用することである。
【０００５】
ＵＥに対する無線リソースをスケジューリングする際にアンテナ偏波情報を使用することの特典は、ＵＥとの間の伝送が主に垂直偏波（ＶＰ）又は水平偏波（ＨＰ）のいずれかである場合に、最大である。その理由は、たとえかなり影になっている状況であっても、これらの偏波がワイヤレス伝搬チャネル内で良好に保持されることである。したがって、伝送される垂直偏波は、非常に限られた交差偏波散乱（cross-polarization scattering）で、受信側への伝搬全体を通じてその垂直偏波を維持することになり、これは、対応する水平偏波の場合にもあてはまる。これに対して、ＶＰ及びＨＰの両方の要素を含む偏波はそれほど保持されないため、あまり有用ではない。
【０００６】
無線チャネル内の交差偏波散乱の量が制限されていることから、垂直対垂直及び水平対水平の偏波組み合わせ（送信アンテナ及び受信アンテナの偏波組み合わせ）は、平均して等しい受信側信号電力を提供する一方で、交差偏波された組み合わせ（垂直対水平又はその逆）は、典型的には、５〜１５ｄＢのより弱い受信側信号電力を提供する。ＶＰ送信アンテナを備えたｅＮＢによって送信される信号は、ＨＰ受信アンテナ（垂直対水平偏波組み合わせ）内よりもさらに強い信号としてＶＰ受信アンテナ（すなわち、垂直対垂直偏波組み合わせ）を備えたＵＥ内で受信されることになる。
【０００７】
偏波ベースの干渉管理の基本的考え方については、図２ａを参照しながら以下で説明する。ＶＰアンテナを備えたＵＥ１５０ｂが、ＶＰを生成する送信／受信モードを使用してｅＮＢ１００ｂ、１００ｃに伝送するように、又はこれらから受信するようにスケジューリングされ、したがってＶＰ対ＶＰ組み合わせチャネル２２０を提供し、さらに合わせて第２のＵＥ１５０ａが、ＨＰアンテナを有し、ＨＰを生成する送信／受信モードを使用してｅＮＢ１００ｃ、１００ａにスケジューリングされ、したがってＨＰ対ＨＰ組み合わせチャネル２１０を提供することから、利点を得ることになる。２つのＵＥ、１５０ａ、１５０ｂの間の干渉抑制は、２つのＵＥがどちらも同じ偏波組み合わせ（すなわち非直交偏波）を使用していた場合に比べて、５〜１５ｄＢの追加となる。
【０００８】
図２ａに記載されたシステムが最良の可能な偏波ベースの干渉抑制を提供できるようにする、いくつかの特性がある。第１の特性は、ＶＰ及びＨＰをアップリンク内の他の偏波と区別するため、すなわち、ＲＢＳの受信アンテナがＶＰ又はＨＰを生成することを保証し、結果としてアップリンク電力測定を通じてＵＥの偏波を決定できるようにするための、ｅＮＢの機能である。第２の特性は、ダウンリンク上で適切に保存されたこれら２つの偏波を伝送するため、すなわち、ＲＢＳの送信アンテナがダウンリンクでもＶＰ又はＨＰを生成することを保証するための、ｅＮＢの機能である。第３の特性は、どちらも受信側と送信側の間のｅＮＢ内、及び２つ又はそれ以上のｅＮＢ間にある偏波の、どちらがＶＰでどちらがＨＰであるかの共通理解である。
【０００９】
前述の第１及び第２の特性を保証するための１つの簡単な解決策は、ＶＰ／ＨＰ偏波アンテナ構成を使用すること、及び一度に１つのアンテナに出力電力を印加することである。しかしながら、傾斜＋４５／−４５の偏波アンテナの方がＶＰ／ＨＰ偏波アンテナよりも好適である理由はいくつかある。その理由の１つは、傾斜＋４５／−４５の偏波アンテナ構成が、放射パターンの対称性を提供することである。他の理由は、傾斜＋４５／−４５の偏波アンテナが、ボア・サイト（bore sight）から離れて、すなわちすべての方向で、偏波直交性を生成することである。さらに他の理由は、電力増幅器（ＰＡ）を使用しなければならないことである。各アンテナにつき１つのＰＡがあるため、両方のアンテナを使用して信号を伝送することが好ましく、その後出力電力は、１つのアンテナ及び１つのＰＡのみが使用される場合に比べて２倍になる。傾斜＋４５／−４５の偏波アンテナ構成を使用する場合、ＶＰ又はＨＰ伝送は、両方のアンテナ及び両方のＰＡを使用することになる。ＶＰ／ＨＰアンテナ構成を使用する場合、ＶＰ又はＨＰ伝送は、１つのアンテナ及びＰＡのみを使用することになるため、出力電力が低下する。ＶＰ／ＨＰ偏波アンテナ構成の欠点は、二重偏波アンテナを備えた圧倒的多数の既存のサイトが、結果として傾斜＋４５／−４５の偏波アンテナを使用することになるという点である。
【００１０】
しかしながら、傾斜＋４５／−４５の偏波アンテナが使用される場合、送信器及び受信器は、ＶＰ／ＨＰ偏波信号が区別可能であることを保証するために、位相コヒーレント（phase coherent）である必要がある。較正回路を使用して達成可能なコヒーレンシは相対的とするべきであるため、位相オフセットは、時間及び周波数全体にわたって、一定である。さらに、絶対的なＶＰ又はＨＰの送信又は受信を達成するために必要なアンテナの位相オフセットを知る必要がある。必要な位相オフセットを見つけるための１つの解決策は、２つの交差偏波アンテナの位相オフセットを調節することによって絶対偏差を検出及び調整するために、外部較正機器を導入することである。しかしながら、これは外部機器が必要であることから、コストのかかる解決策である。
【００１１】
さらに他の解決策は、ｅＮＢとＵＥとの間の通信の、ランク・インジケータ又はスループットなどの、品質インジケータに基づく送信アンテナ構成の偏波を調整することである。こうした解決策の基本的考え方は、前述のような偏波の有益な特徴により、送信の絶対ＶＰ／ＨＰ偏波が、結果として最適な通信品質を生じさせることである。したがって、２つの交差偏波アンテナ間の位相オフセットの変更を通じて、アンテナ構成偏波の調整が
通信の品質を向上させるか否かを決定するために、品質インジケータを使用することができる。品質インジケータが最適な値に達するまで、品質インジケータのチェック及び偏波の調整のステップを反復することによって、どの位相オフセットがＶＰ又はＨＰを生成するかを決定することができる。このようにして絶対偏波状態の較正が達成されるが、図２ａを参照しながら上記で説明したような偏波ベースの干渉管理を使用するための必要条件である、どの位相オフセットがＶＰを生成し、どの位相オフセットがＨＰを生成するかを見つけることはできないため、ＶＰ及びＨＰの解釈に関する曖昧さは依然としてそのままである。さらに、受信アンテナ構成の位相オフセットは、前述の方法では確立されない。
【００１２】
通常は、常にＶＰアンテナが第１のアンテナ・ポートに接続され、ＨＰアンテナが第２のアンテナ・ポートに接続されるという、サイト・インストールでの制御がないため、ＶＰ／ＨＰ偏波アンテナ構成を使用することでは、どのオフセットがＶＰを生成し、どのオフセットがＨＰを生成するかがわからないという問題は、おそらく解決されない。すべての電力を第１のアンテナ・ポートに接続されたアンテナに印加することによって、ＶＰ又はＨＰのいずれかを生成することにはなるが、サイト・インストール中にアンテナ間のポート接続に特に注意を払わなければ、そのどちらであるかはわからない。したがって、この場合も、ＶＰ及びＨＰの解釈に関する曖昧さが問題である。
【００１３】
曖昧さの問題により、ｅＮＢは、どの振幅及び／又は位相オフセットが、アップリンク及びダウンリンクの両方で、それぞれＶＰ及びＨＰを生じさせることになるかを想定する必要がある。この想定で、ｅＮＢの受信側と送信側の間で、或いは、２つ又はそれ以上のｅＮＢ間で、どの偏波がＶＰであり、どの偏波がＨＰであるかの共通理解に関して前述した、第３の特性が満たされないことになるため、偏波ベースの干渉管理を使用する場合、問題が生じる。これが干渉抑制にどのように影響を与えるかについて、図２ｂを参照しながら以下で説明する。３つのｅＮＢのうちの１つである１００ｃは、送信アンテナに関して他の２つの１００ａ、１００ｂとは反対のＶＰ／ＨＰの定義が想定されている。スケジューラが、ＨＰを用いてｅＮＢ１００ｃ及び１００ａから第１のＵＥ１５０ａへ、並びにＶＰを用いてｅＮＢ１００ｃ及び１００ｂから第２のＵＥ１５０ｂへの、同時送信を命じた場合、ｅＮＢ１００ｃは、他のｅＮＢ１００ａ、１００ｂとは反対の偏波で伝送することになり、ＵＥ１５０ａ、１５０ｂのそれぞれでのかなりの干渉につながる。
【発明の概要】
【発明が解決しようとする課題】
【００１４】
本発明の目的は、上記で概説した問題及び欠点のうちのいくつかに対処すること、及び、１つの無線デバイスとＲＢＳなどの他の無線デバイスとの、交差偏波された、すなわち直交的に偏波された、アンテナ構成によって生成される、ＶＰ／ＨＰ偏波の調整を実行可能にすることである。これは、ＶＰ／ＨＰ干渉抑制可能性のうちの最大限の可能性を得るために望ましい。
【課題を解決するための手段】
【００１５】
この目的及び他の目的は、独立請求項に従った方法及びデバイスによって、並びに、従属請求項に従った実施形態によって、達成される。
【００１６】
本発明の第１の態様によれば、第１の無線デバイスの偏波を、追加の無線デバイスの偏波を用いて調整する方法が提供される。偏波は、少なくとも２つの直交偏波アンテナを備えるアンテナ構成によって生成される。第１及び追加の無線デバイスは、少なくとも１つの他の無線デバイスとワイヤレスに通信する。方法は、第１の無線デバイスによって実行され、垂直又は水平の偏波を生成するアンテナ構成の第１の振幅及び／又は位相オフセットと、第１の振幅及び／又は位相オフセットによって生成された当該偏波に対して直交する偏波を生成するアンテナ構成の第２の振幅及び／又は位相オフセットとを確立するステップを含む。さらに、第１の振幅及び／又は位相オフセットによって生成される偏波が垂直であり、第２の振幅及び／又は位相オフセットによって生成される偏波が水平であるものと、定義するステップと、当該他の無線デバイスのうちの少なくとも１つの偏波を決定するステップと、決定された偏波に基づいて、定義された偏波を追加の無線デバイスの偏波と調整するステップとを含む。
【００１７】
本発明の第２の態様によれば、第１の無線デバイスの偏波を追加の無線デバイスの偏波と調整する制御デバイスに関する方法が提供される。制御デバイスは第１及び追加の無線デバイスに接続され、偏波は、少なくとも２つの直交偏波アンテナを備えるアンテナ構成によって生成される。第１及び追加の無線デバイスは、少なくとも１つの他の無線デバイスとワイヤレスに通信する。方法は、少なくとも１つの他の無線デバイスの偏波に関する情報を、第１及び追加の無線デバイスのうちの少なくとも１つから取り出すステップと、取り出された情報が偏波の不一致を示す場合、第１及び追加の無線デバイスのうちの少なくとも１つに交換を命じるステップとを含む。
【００１８】
本発明の第３の態様によれば、少なくとも２つの直交偏波アンテナを伴うアンテナ構成を備える、第１の無線デバイスが提供される。第１の無線デバイスは、アンテナ構成によって生成された偏波を、追加の無線デバイスのアンテナ構成によって生成された偏波と調整するように構成される。第１及び追加の無線デバイスは、少なくとも１つの他の無線デバイスとワイヤレスに通信するように構成される。第１の無線デバイスは、垂直又は水平の偏波を生成するアンテナ構成の第１の振幅及び／又は位相オフセットと、第１の振幅及び／又は位相オフセットによって生成された当該偏波に対して直交する偏波を生成するアンテナ構成の第２の振幅及び／又は位相オフセットとを確立するように配置構成された、確立ユニットを備える。さらに、第１の振幅及び／又は位相オフセットによって生成される偏波が垂直であり、第２の振幅及び／又は位相オフセットによって生成される偏波が水平であるものと、定義するように配置構成された、定義ユニットと、当該他の無線デバイスのうちの少なくとも１つの偏波を決定するように配置構成された、決定ユニットと、決定された偏波に基づいて、定義された偏波を追加の無線デバイスの偏波と調整するように配置構成された、調整ユニットとも備える。
【００１９】
本発明の第４の態様によれば、第１及び追加の無線デバイスに接続可能な制御デバイスが提供される。制御デバイスは、第１の無線デバイスの偏波を、追加の無線デバイスの偏波と調整するように構成される。偏波は、少なくとも２つの直交偏波アンテナを備えるアンテナ構成によって生成される。第１及び追加の無線デバイスは、少なくとも１つの他の無線デバイスとワイヤレスに通信する。制御デバイスは、少なくとも１つの他の無線デバイスの偏波に関する情報を、第１及び追加の無線デバイスのうちの少なくとも１つから取り出すように配置構成された、取り出しユニットと、取り出された情報が偏波の不一致を示す場合、第１及び追加の無線デバイスのうちの少なくとも１つに交換を命じるように配置構成された、命令ユニットとを備える。
【００２０】
本発明の諸実施形態の利点は、ＲＢＳ又はＵＥの絶対アンテナ偏波が、ＲＢＳ間又はＵＥ間の調整を通じて、コスト効率の高い方法で、ＨＰ又はＶＰであることが明白に決定可能なことである。
【００２１】
本発明の諸実施形態の他の利点は、調整が、たとえばシステムのすべてのＲＢＳを含むシステム全体にわたるものとすることが可能なことである。
【００２２】
さらに本発明の諸実施形態の利点は、偏波ベースの干渉管理を効率的に使用できるようにすることである。
【００２３】
本発明の諸実施形態のさらに他の利点は、ＲＢＳサイト・インストールにおいて最も優勢な選択であり、今後もそれが継続する可能性が最も高い、傾斜＋４５／−４５の偏波アンテナなどのすべての種類の二重偏波アンテナ構成と、右回り／左回りアンテナ又はＶＰ／ＨＰアンテナにも、適用可能なことである。さらに利点は、アンテナ・ポートがどのようにアンテナに接続されるかに関して、サイト・インストール時に特別な注意が必要ないことである。
【図面の簡単な説明】
【００２４】
【図１】本発明が内部に実装可能な、従来のワイヤレス通信システムの一部を示す概略図である。
【図２ａ】従来技術に従った、偏波ベースのスケジューリングの基本的考え方を示す概略図である。
【図２ｂ】従来技術に従った、ＶＰ／ＨＰ偏波の解釈の曖昧さが偏波ベースのスケジューリングにどのように影響を与えるかを示す概略図である。
【図２ｃ】本発明の基本的考え方を示す概略図である。
【図３ａ】本発明の実施形態に従った、ｅＮＢによって実行される方法を示すフローチャートである。
【図３ｂ】本発明の実施形態に従った、ｅＮＢによって実行される方法を示すフローチャートである。
【図３ｃ】本発明の実施形態に従った、ｅＮＢによって実行される方法を示すフローチャートである。
【図３ｄ】本発明の実施形態に従った、ｅＮＢによって実行される方法を示すフローチャートである。
【図３ｅ】本発明の実施形態に従った、ｅＮＢによって実行される方法を示すフローチャートである。
【図３ｆ】本発明の実施形態に従った、ｅＮＢによって実行される方法を示すフローチャートである。
【図３ｇ】本発明の実施形態に従った、ｅＮＢによって実行される方法を示すフローチャートである。
【図４】本発明の実施形態に従った、制御デバイスによって実行される方法を示すフローチャートである。
【図５ａ】本発明の実施形態に従った、ｅＮＢ内の送信側及び受信側無線チェーンと制御デバイスとを示す概略図である。
【図５ｂ】本発明の実施形態に従った、２つのｅＮＢ及び制御デバイスを示す概略図である。
【発明を実施するための形態】
【００２５】
以下で、ある実施形態及び添付の図面を参照しながら、より詳細に説明する。説明及び非制限の目的で、本発明を完全に理解するために、特定のシナリオ、技法などの特定の細部が示される。しかしながら、当業者であれば、本発明がこれらの特定の細部とは異なる他の実施形態で実施可能であることは明らかであろう。
【００２６】
さらに当業者であれば、本明細書で以下に説明される機能及び手段は、プログラミング済みマイクロプロセッサ又は汎用コンピュータと共に機能するソフトウェアを使用して、並びに／或いは、特定用途向け集積回路（ＡＳＩＣ）を使用して、実装可能であることを理解されよう。現行の発明は主に方法及びデバイスの形で説明されるが、本発明は、コンピュータ・プログラム製品内、並びに、コンピュータ・プロセッサ及びプロセッサに結合されたメモリを備えるシステム内でも、具体化可能であり、このメモリは、本明細書で開示された機能を実行可能な１つ又は複数のプログラムで符号化されることを理解されよう。
【００２７】
本発明は、特定のシナリオ例を参照しながら説明される。特に、本発明は、Ｅ−ＵＴＲＡＮ内のｅＮＢの傾斜＋４５／−４５の偏波アンテナ構成に関する非限定的汎用コンテキストで説明される。しかしながら、本発明及びその例示的実施形態は、ＶＰ／ＨＰ及び円形アンテナ構成などの他のアンテナ構成、ＵＴＲＡＮ、ＷｉＭａｘ、及びＧＳＭなどの他のタイプの無線アクセス・ネットワークにおけるＲＢＳ、リレー、並びに、Ｅ−ＵＴＲＡＮ、ＵＴＲＡＮ、ＷｉＭａｘ、及びＧＳＭ内のユーザ機器（ＵＥ）にも適用可能であることに留意されたい。ＵＥ内で有用な可能性のある例は、固定ワイヤレス端末、ラップトップ、及び車載ＵＥアンテナの場合のように、ＵＥアンテナ構成が定常であるか又は動作中に適切に定義された向きを有する場合である。
【００２８】
図２ｃを参照しながら説明する本発明の基本的考え方は、第１のｅＮＢ１００ａの偏波と第２のｅＮＢ１００ｃのそれとを、第１に、両方のｅＮＢに関して曖昧に垂直及び水平である絶対偏波を達成するために必要な、交差偏波アンテナ間の位相オフセットを確立することによって、調整することである。位相オフセットは、交差偏波アンテナ構成の第１のアンテナ上で送信／受信される信号に関して、交差偏波アンテナ構成の第２のアンテナ上で送信／受信される信号に印加される必要がある、位相シフトである。ＶＰ／ＨＰ偏波アンテナが使用される場合、交差偏波アンテナ間に位相オフセットは必要でなく、振幅オフセットのみが必要な可能性がある。振幅オフセットを伴う場合、ＶＰ又はＨＰを生成するために、すべての電力を２つの交差偏波アンテナのうちの１つに向けて送ることができる。各ｅＮＢは、どのオフセットがＶＰを生成すると想定され、どのオフセットがＨＰを生成すると想定されるかを、定義することになる。
【００２９】
第２に、ｅＮＢはどちらも、以下でさらに詳細に説明する、たとえばアップリンク測定を用いて、１つのＵＥ１５０ａの偏波を決定することになり、これでｅＮＢは、それらの水平及び垂直に定義された偏波を調整できるようになる。決定されたＵＥ偏波の比較は、ｅＮＢのうちの１つ又は外部制御デバイスのいずれかで実行可能である。決定されたＵＥ偏波が異なる場合、ｅＮＢのうちの１つは、第１及び第２のオフセットがどの偏波を生成するかの定義を交換すべきである。このようにして、２つのｅＮＢは、垂直であるものと定義された偏波と水平であるものと定義された偏波との共通理解に到達する。この解決策の１つの利点は、ｅＮＢが、どれがＶＰでどれがＨＰであるかの定義を調整した場合、偏波ベースの干渉抑制が最適な方法で作用することになるということである。さらに、サイト・インストール時に、定義された偏波を調整するために、アンテナ・ポートがどのようにアンテナに接続されるかに関して特別な注意を払う必要がない。
【００３０】
ＵＥの偏波状態の決定は、好ましくは、同じＵＥ１５０ａ上で２つのｅＮＢ１００ａ、１００ｃによって同時に実行されるが、非同時測定で十分な情報が与えられることが可能な場合もある。たとえば、第１のｅＮＢ１００ａはＵＥ１０５ａが第１のｅＮＢ１００ａのカバレッジ領域内にある場合にＵＥ１０５ａ上で測定が可能であり、その後、第２のｅＮＢ１００ｃはＵＥ１０５ａが第２のｅＮＢ１００ｃのカバレッジ領域内に入った場合に測定する。同様に、同じモデル及びブランドのＵＥである場合のように、異なるＵＥの偏波状態が同様であるものと考える理由が存在する場合、これらのＵＥの測定が使用可能である。
【００３１】
本発明の第１の実施形態では、どのオフセットがＶＰを生成し、どのオフセットがＨＰを生成するかのそれらの定義を交換すべきであるかどうかを決定するのは、ｅＮＢ自体である。こうした解決策では、反対の定義を伴うｅＮＢのペアは、どちらもそれらの定義を交換するように決定可能であるため、ＵＥ偏波状態の次の比較が依然としてそれらが反対の定義を有することを示す場合、問題を解決することにはならない。この解決策は、どちらのｅＮＢが交換を実行すべきであるかを決定する事前定義された又は動的な階層を有することであろう。
【００３２】
代替の第２の実施形態では、決定されたＵＥ偏波状態間に不一致がある場合、どのｅＮＢがその偏波定義を維持すべきであり、どれが定義を交換すべきであるかを決定するのは、制御デバイスである。この実施形態は、それらの偏波を互いに調整すべきである２つより多くのｅＮＢが存在する場合、決定するデバイスが１つだけ存在するため、有利である。前述した第１の実施形態では、ｅＮＢの第１のペアは互いに調整可能であり、ｅＮＢの第２のペアは互いに調整可能であるが、第１及び第２のペアは互いに調整可能でない可能性がある。この状況は、単一の制御デバイスが決定することで回避される。
【００３３】
代替の一実施形態では、ｅＮＢはその決定されたＵＥ偏波を制御デバイス又は他のｅＮＢに転送する。制御デバイスを使用する場合、制御デバイスは決定されたＵＥ偏波を他のｅＮＢからも受信し、異なるｅＮＢの決定されたＵＥ偏波を比較することもできる。この比較に基づいて、どのｅＮＢがそれらの偏波定義を交換する必要があるかを識別する。識別されたｅＮＢは、どのオフセットが垂直偏波を生成し、どのオフセットが水平偏波を生成するかのそれらの定義を交換するように、制御デバイスによって命じられるため、結果としてすべてのｅＮＢに関する偏波が調整されることになる。
【００３４】
１つの第１のｅＮＢが、その決定されたＵＥ偏波を、制御装置ではなく他の第２のｅＮＢに転送する場合、第２のｅＮＢは、受信したＵＥ偏波とそれ自体の決定されたＵＥ偏波とを比較することができる。受信したＵＥ偏波と決定されたＵＥ偏波とが異なる場合、交換が必要であり、第２のｅＮＢはそれ自体の定義を交換するか、又は第１のｅＮＢに交換を命じることができる。
【００３５】
代替の一実施形態では、第１のｅＮＢは第２のｅＮＢからＵＥ偏波を取り出す。次に第１のｅＮＢは、取り出されたＵＥ偏波とそれ自体の決定されたＵＥ偏波とを比較することによって、偏波の不一致が存在するか否かを確立する。不一致が存在する場合、第１のｅＮＢは、不一致に関する情報を制御デバイスに転送し、次にこれが、不一致情報に基づいて、どのｅＮＢが交換すべきであるかを決定する。この場合、偏波の比較を実行するのはｅＮＢであるが、不一致が存在する場合、交換に関して決定するのは制御デバイスである。したがって第１又は第２のｅＮＢには、制御デバイスによって交換を命じることができる。別の方法として、不一致情報は第２のｅＮＢに転送することも可能であり、次にこれが、交換を第２のｅＮＢ自体で実行するか、又は第２のｅＮＢによって命じられた第１のｅＮＢで実行するかに関して決定する。
【００３６】
他の実施形態では、調整を制御するのは制御デバイスではなくｅＮＢであり、ｅＮＢ間の調整は２つより多くのｅＮＢに拡大することが可能であって、以下のように偏波が調整される状態で連続的により大きなｅＮＢのグループを形成する。２つのうちの第１のすでに調整済みのｅＮＢ１００ｃは、たとえばその偏波定義を第３のｅＮＢ１００ｂと調整することができる。第１のすでに調整済みのｅＮＢ１００ｃが、たとえば調整階層内で上位にあることから、第３のｅＮＢ１００ｂを制御する場合、たとえばその決定されたＵＥ偏波を第３のｅＮＢ１００ｂに転送することのみが可能であり、不一致が存在する場合、それ自体の定義を比較及び交換することは、第３のｅＮＢ１００ｂに委ねられる。しかし、第１の調整済みｅＮＢ１００ｃを制御するのが第３のｅＮＢ１００ｂである場合、第３のｅＮＢ１００ｂがその決定されたＵＥ偏波を第１のｅＮＢ１００ｃに転送することになり、不一致が存在する場合、これが定義を交換しなければならなくなる。第１のｅＮＢ１００ｃと第２のｅＮＢ１００ａとがすでに１回調整していた場合、第１のｅＮＢ１００ｃは、第２のｅＮＢ１００ａも同様にその定義を交換するために、その定義を交換することを第２のｅＮＢ１００ａにも通知することができる。最終的に、こうした連続的な偏波の調整は、結果としてシステム全体を調整することができる。交換される定義の数を最小限にするために、すでに内部で調整済みのｅＮＢのグループに、階層内でのより高い位置を与えることができる。これは、階層が動的に変更可能であることを意味し、このケースでは、階層変更をｅＮＢ間で通信することも可能である。
【００３７】
それらの偏波定義を連続して調整してきたｅＮＢ／無線デバイスのペア又はグループの追跡を続けることは、異なるこうしたペア又はグループに属するｅＮＢ／無線デバイス内でのさらなる調整を容易にするために、好ましい可能性がある。こうしたグループ内の１つのｅＮＢ／無線デバイスが、グループ外のｅＮＢ／無線デバイスとの追加の調整によって、その偏波定義を交換する場合は必ず、グループに属する他のｅＮＢ／無線デバイスにこれを通知するか、又は、グループ内の均一性を保持するためにそれらの偏波定義を交換するよう命じることが可能である。
各ｅＮＢ／無線デバイスに、その偏波定義を調整し合った他のすべてのｅＮＢ／無線デバイスがわかるように、異なるｅＮＢ／無線デバイス間でブックキーピング（book-keeping）を配布すること、又は、ブックキーピング機能を制御ユニットで実行することが可能である。同様に、偏波交換の命令は、ｅＮＢ／無線デバイスのグループ全体に対して直接又はいくつかのステップで転送することが可能であり、ここでは第１のｅＮＢ／無線デバイスが第１に命令され、その後、この命令を同じ「調整済み」グループに属する追加のｅＮＢ／無線デバイスに転送する。
【００３８】
ｅＮＢのアンテナ構成は、送信と受信の両方のための交差偏波アンテナの少なくとも１つのペアからなるものとすることができる。アップリンク及びダウンリンクの両方で偏波ベースの干渉抑制を使用する場合、そのケースではＶＰ／ＨＰの受信及び送信がどちらも可能なことが重要であるため、受信及び送信の両方のアンテナ構成の位相オフセットを確立する必要がある。これにより、アップリンク又はダウンリンクのいずれかの測定に基づくＵＥ偏波の決定も可能にする。送信器及び受信器の無線チェーンが位相コヒーレントでない可能性があり、少なくともＦＤＤシステムの場合、アンテナ及びフィーダの特徴が周波数に応じて変化する可能性があるという事実から、受信アンテナ構成に印加されることになる位相オフセットは、一般に、送信アンテナ構成に印加されることになるものとは異なる。
【００３９】
本発明の一実施形態では、送信アンテナ構成の位相オフセットの確立は、ｅＮＢ１００ａ、１００ｂ、及びＵＥ１５０ａの間での通信の品質インジケータに基づいて実行される。ｅＮＢは少なくとも１つの品質インジケータを取得する。品質インジケータは、ランク・インジケータ（ＲＩ）、スループット測定、チャネル品質インジケータ報告（ＣＱＩ）、ＨＡＲＱ  ＡＣＫ／ＮＡＣＫ（ハイブリッドＡＲＱ肯定応答／否定応答）、及び任意の他の可能な品質インジケータのうちの、１つ又は複数を含むことができる。これは、たとえばスループット測定のケースのように、ＵＥ１５０ａから受信するか、又はｅＮＢ自体によって測定することが可能である。次にｅＮＢは、その送信アンテナ構成の位相オフセットを調整し、品質インジケータが向上したように思われるかどうかを再度チェックする。品質インジケータの測定及び位相オフセットの調整は、所定の最適な品質インジケータが得られるまで反復される。この方法は、前述のこうした偏波の有益な特徴により、おそらくはＶＰ又はＨＰを生成する第１の位相オフセットαを提供する。この第１の確立された位相オフセットαに基づき、第１の位相オフセットαによって生成された偏波に対して直交する偏波を生成する第２の位相オフセットβを確立することができる。第２の位相オフセットは、第１の位相オフセットに１８０°を加えたものに等しく、すなわちβ＝α＋１８０°である。第１のオフセットがＶＰを生成する場合、第２のオフセットはＨＰを生成することになる。
【００４０】
他の実施形態では、受信アンテナ構成の位相オフセットの確立は、ＶＰ又はＨＰ特有の特徴が観察されるまで、異なる位相オフセット候補を評価することによって実行される。こうした特徴は、たとえば偏波間の電力関係の時間及び／又は周波数全体にわたる安定性である。したがってｅＮＢは、位相オフセット候補の各セットに関するＵＥ信号の信号強度を測定することができる。受信される信号強度の同じ関係を経時的に提供する位相オフセット候補は、たとえばＶＰ／ＨＰを生成する位相オフセットとして選択されることになる。
【００４１】
受信と送信の両方のアンテナ構成の位相オフセットが、前述の２つの実施形態に従って確立された場合、送信及び受信の両方のアンテナ構成について、第１のオフセットによって生成された偏波が垂直であるものと定義され、第２のオフセットによって生成された偏波が水平であるように定義される。次のステップで、ＵＥアンテナ偏波はｅＮＢによって決定されることになり、これは、以下でさらに説明するように、対応する確立された位相オフセットを適用する場合、アップリンク又はダウンリンクのいずれかの測定を使用することによって実行可能である。これは、２つのｅＮＢの調整が、アップリンク測定に基づいて決定された１つのｅＮＢからのＵＥ偏波と、ダウンリンク測定に基づいて決定された他のｅＮＢからのＵＥ偏波との比較に基づいて、実行可能であることを意味する。したがって、受信アンテナ構成の位相オフセットによって生成される偏波の定義が、１つの同じｅＮＢの送信アンテナ構成の偏波定義と調整されることも重要である。本発明の一実施形態によれば、偏波定義の調整は、ｅＮＢの受信及び送信アンテナの無線チェーン間のｅＮＢ内で実行される。
【００４２】
次に、ＵＥアンテナ偏波の決定についてさらに説明する。本発明の一実施形態では、ＵＥ送信アンテナ偏波は、ｅＮＢ受信器アンテナのそれぞれの定義された偏波に関する受信信号強度の測定に基づいて、ｅＮＢによって決定することができる。これが、最高の受信信号強度を提供する垂直に定義された偏波を生成するオフセットである場合、ｅＮＢは、ＵＥアンテナ偏波を垂直であるものと決定することができる。
【００４３】
本発明の他の実施形態では、ｅＮＢとＵＥとの間の通信の品質インジケータの測定に基づいて、ＵＥ受信アンテナ偏波を決定することができる。品質インジケータに基づく位相オフセットの確立に関して前述したメカニズムと、同様のメカニズムが使用される。したがって品質インジケータは、ｅＮＢ送信アンテナの水平及び垂直の両方に定義された偏波に関して測定され、最良の品質インジケータを提供する測定は、ＵＥアンテナの偏波を示す。最良の品質インジケータを提供する水平偏波を生成するものとして定義されたオフセットである場合、ＵＥアンテナ偏波は水平であるものと決定される。
【００４４】
ＵＥアンテナ偏波の決定方法について上記で説明した２つの実施形態は、受信と送信の両方のアンテナ構成の位相オフセットが確立され、互いに調整された場合、組み合わせることが可能である。これは、たとえば、その後２つの異なる種類の測定に基づいて決定されることから、よりセキュアなＵＥアンテナ偏波の決定を得るために実行可能である。
【００４５】
前述のように、本発明の実施形態は、互いにそれらのＶＰ／ＨＰ定義を調整するＵＥアンテナにも適用可能である。別の方法として、ＵＥアンテナは、ｅＮＢが互いに位置合わせされると、送信偏波のインジケーションを担持するＶＰ（又はＨＰ）上で送信されるメッセージを利用して、それらの定義を調整することが可能である。
【００４６】
同様に、調整は、単一ｅＮＢの異なる周波数帯間で、たとえば受信と送信の周波数帯間、又はｅＮＢの２つの異なる送信／受信周波数帯間で、実行可能である。さらに、基地局がその偏波をリレーと調整すること（又はその反対）も可能である。
【００４７】
図３ａは、第１のｅＮＢによって実行される、第１のｅＮＢの偏波を追加のｅＮＢの偏波と調整する方法のフローチャートである。偏波は、２つの直交偏波アンテナを備える、ｅＮＢのアンテナ構成によって生成される。２つのｅＮＢは、少なくとも１つのＵＥとワイヤレスに通信する。この方法は、以下のステップを含む。
−３１０：垂直又は水平の偏波を生成するアンテナ構成の第１の位相オフセットと、第１の位相オフセットによって生成される当該偏波に対して直交する偏波を生成するアンテナ構成の第２の位相オフセットとを確立する。ＶＰ／ＨＰアンテナ構成のケースでは、振幅オフセットではなく、ＶＰ又はＨＰを生成するために必要な位相オフセットが存在せず、すべての電力をアンテナのうちの１つに印加することができる。
−３２０：第１の位相オフセットによって生成される偏波を垂直であるものと定義し、第２の位相オフセットによって生成される偏波を水平であるものと定義する。ここでｅＮＢは、どのオフセットがどの偏波を生成するかを「推測」する。
−３３０：ｅＮＢが通信するＵＥのうちの少なくとも１つの偏波を決定する。
−３４０：決定された偏波に基づいて、定義された偏波を追加のｅＮＢの偏波と調整する。
【００４８】
図３ｂ〜３ｄは、定義された偏波を追加のｅＮＢの偏波と調整するステップ３４０に関する、本発明の異なる実施形態を示す概略図である。図３ｂでは、調整のステップ３４０は、決定された偏波を制御デバイスに転送するステップ３４１と、制御デバイスから交換の命令を受信した場合、第１の位相オフセットによって生成された偏波の定義と、第２の位相オフセットによって生成された偏波の定義とを交換するステップ３４２とを含む。こうした命令は、もちろん偏波の不一致が存在する場合にのみ受信される。不一致が存在する場合、第１の位相オフセットによって生成された偏波が交換前に垂直であるものと定義されると、交換後に水平であるものと定義されることになり、第２の位相オフセットによって生成された偏波については、その逆があてはまる。代替の実施形態では、決定された偏波は制御デバイスではなく追加のｅＮＢに転送可能であり、その後、偏波の不一致が存在する場合、及び追加のｅＮＢがそれ自体で交換しないものと決定する場合、交換の命令が追加のｅＮＢから受信されることになる。
【００４９】
代替実施形態を示す図３ｃ及び３ｄでは、調整のステップ３４０は、追加のｅＮＢからＵＥ偏波を取り出すステップ３４３を含む。取り出されたＵＥ偏波と独自の決定されたＵＥ偏波とが異なる場合、ｅＮＢはステップ３４４で、偏波の不一致を確立することになる。偏波の不一致が確立された場合、図３ｃは、ステップ３４５でｅＮＢが不一致に関する情報を制御デバイスに転送する、一実施形態を示す。その後、制御デバイスは、２つのｅＮＢのうちのどちらが、それらの定義を交換するべきであるかを決定することが可能であり、交換する命令を受信した場合、ステップ３４２で、ｅＮＢは定義を交換することができる。別の方法として、不一致に関する情報は代わりに追加のｅＮＢに転送され、その追加のｅＮＢが、その定義を交換すべきであるかどうか、又は第１のｅＮＢに交換を命じるべきであるかどうかを決定する。
【００５０】
図３ｄに示された代替実施形態では、第１のｅＮＢは、前述のステップ３４３及び３４４の後、ステップ３４４で偏波の不一致を確立した場合には、ステップ３４６でその偏波定義を交換するか、又はステップ３４７で、その偏波定義を交換するよう追加のｅＮＢに命じることができる。この実施形態では、交換に関して決定するのは第１のｅＮＢである。
【００５１】
要約すると、調整ステップ３４０は、比較、交換に関する決定、及び交換を含む。前述の制御ステップ３４０の代替実施形態では、比較及び決定は、２つのｅＮＢのうちのいずれかによって、又は制御デバイスによって実行可能であり、交換はｅＮＢのうちの少なくとも１つで実行可能である。実施形態に応じて、通信されるのはＵＥ偏波、又は偏波の不一致が存在する旨の情報のいずれかである。交換するための命令も、ｅＮＢの間、又は制御デバイスとｅＮＢとの間で通信可能である。すでに上記で述べたように、ＵＥもその偏波を追加のＵＥと調整することが可能であり、その後ＵＥは、交換が必要かどうかを決定するために、ｅＮＢ又は他のＵＥの測定された偏波を比較する。他の代替実施形態では、ｅＮＢも、測定されたＵＥ偏波に基づいて、その偏波をリレーと調整することが可能である。別の方法として、ｅＮＢの送信器無線チェーンと調整するｅＮＢの受信器無線チェーン、又は、互いに調整し合う異なる周波数の２つの送信器無線チェーンとすることも可能である。
【００５２】
図３ｅ〜３ｆは、有効な垂直及び水平の偏波を生成するｅＮＢアンテナ構成の第１及び第２の位相オフセットを確立するステップ３１０に関する、本発明の異なる実施形態を示す概略図である。ｅＮＢのアンテナ構成は受信及び送信の両方のアンテナ構成を備えるため、受信アンテナ構成に関して図３ｅのように、及び送信アンテナ構成に関して図３ｆのように、オフセットを確立することができる。図３ｅでは、受信アンテナ構成の位相オフセットを確立するステップ３１０は、以下のステップを含む。
−３１１：受信アンテナ構成のいくつかの第１及び第２の位相オフセット候補を評価する。
−３１２：評価に基づいて第１及び第２のオフセットを選択する。ＶＰ又はＨＰに特有の特徴を示すオフセット候補が選択される。
【００５３】
選択された第１及び第２のオフセットによって生成された偏波は、次に、ステップ３２０で、それぞれ垂直及び水平であるものと定義される。これは、確立された受信アンテナ偏波のオフセットであるため、ＵＥ偏波の決定は、アップリンク測定に基づいてＵＥ送信アンテナ構成に対して実行することができる。したがって、ＵＥ偏波を決定するステップ３３０は、以下のステップを含む。
−３３１：第１及び第２の両方のオフセットを使用して、ＵＥから受信する信号の電力を測定する。
−３３２：電力測定に基づいて、ＵＥ偏波を決定する。最高の受信信号強度を提供する、垂直として定義された偏波を生成するオフセットである場合、ｅＮＢは、ＵＥアンテナ偏波を垂直であるものと決定することができる。
【００５４】
図３ｆでは、送信アンテナ構成の位相オフセットを確立するステップ３１０は、以下のステップを含む。
−３１３：ＵＥとの通信の事前に決定された品質インジケータが取得されるまで、送信アンテナ構成の第１のオフセットを調整する。こうした品質インジケータは、スループット又はランク・インジケータなどとすることができる。最高のスループットを提供するオフセットは、ＶＰ又はＨＰ偏波に対応する可能性が最も高い。
−３１４：次に、第１のオフセットαに基づき、第１のオフセットに１８０°を加えることによって、第２のオフセットβが計算される（β＝α＋１８０°）。
【００５５】
確立された第１及び第２のオフセットによって生成された偏波は、次に、ステップ３２０で、それぞれ垂直及び水平であるものと定義される。これは、確立された送信アンテナ偏波のオフセットであるため、ＵＥ偏波の決定は、ダウンリンク測定に基づいてＵＥ受信アンテナ構成に対して実行することができる。したがって、ＵＥ偏波を決定するステップ３３０は、以下のステップを含む。
−３３３：両方のオフセットに関して、ＵＥへの送信の品質インジケータを測定する。
−３３４：品質インジケータ測定に基づいて、ＵＥ偏波を決定する。最良の品質インジケータを提供する水平偏波を生成するものと定義されたオフセットである場合、ＵＥアンテナ偏波は水平であるものと決定される。
【００５６】
図３ｇは、図３ｅ及び３ｆの両方の実施形態のステップ３３０が組み合わされた、本発明の実施形態を示す概略図である。ｅＮＢの受信及び送信の両方のアンテナ構成のオフセットが、ステップ３１１から３１４で確立される。このケースでは、どの偏波が第１及び第２のオフセットを生成するかを定義する次のステップ３２０が、受信及び送信の両方のアンテナ構成に関してこの定義が実行されるステップ３２１と、受信アンテナ構成の定義が送信アンテナ構成の定義と調整されるステップ３２２とを含む。この実施形態は、ｅＮＢ間の調整のケースに適用可能であるため、ステップ３２２ではｅＮＢ内の偏波の調整を使用している。ステップ３２２の後、ｅＮＢは、アップリンク又はダウンリンクのいずれかの測定又はその両方に基づいて、（ステップ３３０で）ＵＥ偏波を決定することができる。より信頼性の高い方法でＵＥ偏波を決定するために、アップリンク及びダウンリンクの両方の測定を使用することができる。
【００５７】
図４は、制御デバイスによって実行される、第１のｅＮＢの偏波を追加のｅＮＢの偏波と調整する方法を示すフローチャートである。制御デバイスは第１及び追加のｅＮＢに接続され、偏波は２つの直交する偏波アンテナを備えるアンテナ構成によって生成される。第１及び追加のｅＮＢは、ＵＥとワイヤレスに通信する。この方法は、以下のステップを含む。
−４１０：第１及び追加のｅＮＢのうちの少なくとも１つからＵＥの偏波に関する情報を取り出す。一実施形態では、ＵＥ偏波はｅＮＢ及び制御デバイスから取り出され、制御デバイスは比較を実行し、偏波不一致が存在するか否かを確立する。他の実施形態では、比較はｅＮＢのうちの１つによってすでに実施されているため、その代わりに制御デバイスは、ｅＮＢのうちの１つから確立された不一致に関する情報を取り出す。
−４２０：取り出された情報が偏波不一致を示す場合、第１及び追加の無線デバイスのうちの１つに交換を命じる。したがって制御デバイスは、ｅＮＢのうちのどの１つを交換すべきであるかに関して決定し、取り出された情報の比較結果に基づいて、又は、ｅＮＢから取り出した、不一致が存在する旨の情報に基づいて、関連するｅＮＢに命令を送信する。
【００５８】
図５ａに概略的に示され、本発明の実施形態に従っているのは、第１の無線デバイス、すなわち受信無線チェーン５００ａ、及び追加の無線デバイス、すなわち送信無線チェーン５００ｂを備える、ｅＮＢ５５０である。第１及び追加の無線デバイスは、どちらもｅＮＢ内の無線チェーンであるため、このケースでは同じタイプのものである。しかしながら前述のように、第１及び追加の無線デバイス５００ａ、５００ｂは、他の実施形態では、たとえば、２つの送信無線チェーン又はＵＥ内の２つの無線チェーンとすることもできる。受信無線チェーン５００ａは、そのアンテナ構成５０１ａによって生成された偏波を、送信無線チェーン５００ｂのアンテナ構成５０２ｂによって生成された偏波と調整するように構成される。受信及び送信の無線チェーンは、たとえばＵＥ又はｅＮＢとすることが可能な少なくとも１つの他の無線デバイスと、ワイヤレスに通信するように構成される。この実施形態では、無線チェーンはどちらもＵＥ５９０と通信する。受信無線チェーン５００ａは、垂直又は水平の偏波を生成する、アンテナ構成５０１ａの第１の振幅及び／又は位相オフセットを確立するように配置構成された、確立ユニット５０４ａを備える。たとえば、振幅オフセットはＶＰ／ＨＰアンテナ構成の場合に、位相オフセットは傾斜＋４５／−４５のアンテナ構成の場合に、確立される。確立ユニット５０４ａは、第１の振幅及び／又は位相オフセットによって生成された偏波に直交する偏波を生成する、アンテナ構成５０１ａの第２の振幅及び／又は位相オフセットを確立するようにも配置構成される。受信無線チェーン５００ａは、第１のオフセットによって垂直であるように生成された偏波及び第２のオフセットによって水平であるように生成された偏波を定義するように配置構成された、定義ユニット５０５ａと、ＵＥ５９０の偏波を決定するように配置構成された決定ユニット５０６ａと、ＵＥの決定された偏波に基づいて、定義された偏波を送信無線チェーンの偏波と調整するように配置構成された調整ユニット５０７ａと、をさらに備える。これに相応して、送信無線チェーンも、確立ユニット５０４ｂ、定義ユニット５０５ｂ、決定ユニット５０６ｂ、及び調整ユニット５０７ｂを備える。
【００５９】
さらに、図５ａに示され、本発明の実施形態に従っているのは、受信及び送信の無線チェーン５００ａ、５００ｂに接続可能な制御デバイス５８０である。この実施形態では、制御デバイスはｅＮＢに含まれる。しかしながら、こうした制御デバイスに好適な場所は、コア・ネットワーク内の何らかの中央ノードとすることが可能であり、無線基地局がしばしばワイヤレス・バックホール（backhaul）・リンクを介してコア・ネットワークに接続されるため、制御デバイスへの接続はワイヤレスとすることができる。制御デバイスは、少なくとも受信無線チェーン５００ａからＵＥ偏波に関する情報を取り出すように配置構成された取り出しユニット５８１と、取り出された情報が偏波の不一致を示す場合、無線チェーンのうちの少なくとも１つに偏波定義の交換を命じるように配置構成された命令ユニット５８２とを備える。
【００６０】
一実施形態では、２つの無線チェーンの調整ユニット５０７ａ、５０７ｂは、決定されたＵＥ偏波を制御デバイス５８０に転送するようにさらに配置構成可能である。制御デバイスの取り出しユニット５８１は、取り出されたＵＥ偏波を比較し、それらが互いに異なる場合、偏波の不一致を確立するように、さらに構成可能である。偏波の不一致が確立された場合、命令ユニット５８２は、無線チェーンのうちの１つに偏波定義の変更を命じるように配置構成される。したがって２つの無線チェーンのうちの調整ユニット５０７ａ、５０７ｂは、制御デバイス５８０によって実行するように命じられた場合、それらの偏波定義を交換するようにさらに配置構成されることが可能である。
【００６１】
代替実施形態では、受信無線チェーン５００ａの調整ユニット５０７ａは、決定されたＵＥ偏波を送信無線チェーン５００ｂに転送するように配置構成される。調整ユニット５０７ａは、送信無線チェーン５００ｂによって実行するように命じられた場合、その偏波定義を交換するようにも構成される。
【００６２】
さらに他の実施形態では、受信無線チェーン５００ａの調整ユニット５０７ａは、送信無線チェーン５００ｂからＵＥ偏波を取り出すように、取り出されたＵＥ偏波が決定されたＵＥ偏波と異なる場合、偏波の不一致を確立するように、及び、偏波の不一致に関する情報を、第１の実施形態では制御デバイス５８０、又は第２の実施形態では送信無線チェーン５００ｂに転送するように、配置構成される。その後、第１の実施形態における制御デバイス５８０又は第２の実施形態における送信無線チェーン５００ｂは、受信又は送信の無線チェーン内で交換が実行されるべきであるかどうかを決定することになる。制御デバイスは、第１の実施形態では無線チェーンのうちの１つに交換を命じることになる。第２の実施形態では、送信無線チェーンはその独自の定義を交換するか、又は受信無線チェーンに交換を命じることになる。他の代替実施形態では、受信無線チェーン５００ａの調整ユニット５０７ａはその定義を交換し、偏波の不一致を確立している場合は、送信無線チェーン５００ｂに交換を命じる。この実施形態では、どこで交換を実行すべきであるかを決定するのは受信無線チェーンである。
【００６３】
受信無線チェーン５００ａの確立ユニット５０４ａは、一実施形態では、受信アンテナ構成５０１ａのいくつかの第１及び第２のオフセット候補を評価するように、並びに、評価に基づいて、オフセット候補の中から受信アンテナ構成の第１及び第２のオフセットを選択するように、さらに配置構成可能である。その後、受信無線チェーン５００ａの決定ユニット５０６ａは、受信アンテナ構成５０１ａの確立された第１及び第２のオフセットを適用する場合、ＵＥ５９０から受信される信号の電力を測定するように、並びに、測定された電力に基づいてＵＥの偏波を決定するように、さらに配置構成可能である。
【００６４】
これに相応して、送信無線チェーン５００ｂの確立ユニット５０４ｂは、ＵＥ５９０との通信の事前に決定された品質インジケータが取得されるまで、送信アンテナ構成の第１のオフセットを調整するように、及び、第１のオフセットに基づいて、送信アンテナ構成の第２のオフセットを計算するように、配置構成することも可能である。その後、送信無線チェーン５００ｂの決定ユニット５０６ｂは、送信アンテナ構成の確立された第１及び第２のオフセットを適用する場合、ＵＥへの送信の品質インジケータを測定するように、並びに、測定された品質インジケータに基づいてＵＥの偏波を決定するように、さらに配置構成可能である。
【００６５】
図５ｂに概略的に示され、本発明の実施形態に従っているのは、第１のｅＮＢ５００ａ及び追加のｅＮＢ５００ｂである。この図には、別の専用ノードとすることが可能であるか、或いはたとえば前述のコア・ネットワーク・ノード、又は無線ネットワーク・ノードに含めることができる、制御デバイス５８０も示されている。第１のｅＮＢ５００ａは、その受信及び送信アンテナ構成５０１ａ、５０２ａによって生成された偏波を、追加のｅＮＢ５００ｂの受信及び送信アンテナ構成５０１ｂ、５０２ｂによって生成された偏波と調整するように構成される。ｅＮＢ５００ａ、５００ｂは、他の無線デバイスとワイヤレスに通信するように構成される。この実施形態では、どちらのｅＮＢもＵＥ５９０と通信する。前述のように、互いに偏波を調整し合い、ｅＮＢ又は他のＵＥとワイヤレスに通信する、２つのＵＥとすることもできる。第１のｅＮＢ５００ａは、垂直又は水平の偏波を生成するアンテナ構成５０１ａ、５０２ａの第１の振幅及び／又は位相オフセットを確立するように配置構成された、確立ユニット５０４ａを備える。振幅オフセットはＶＰ／ＨＰアンテナ構成の場合に、位相オフセットは傾斜＋４５／−４５のアンテナ構成の場合に、確立される。確立ユニット５０４ａは、第１の振幅及び／又は位相オフセットによって生成された偏波に直交する偏波を生成する、アンテナ構成５０１ａ、５０２ａの第２の振幅及び／又は位相オフセットを確立するようにも配置構成される。第１のｅＮＢ５００ａは、第１のオフセットによって垂直であるように生成された偏波及び第２のオフセットによって水平であるように生成された偏波を定義するように配置構成された、定義ユニット５０５ａと、ＵＥ５９０の偏波を決定するように配置構成された決定ユニット５０６ａと、ＵＥの決定された偏波に基づいて、定義された偏波を追加のｅＮＢ５００ｂの偏波と調整するように配置構成された調整ユニット５０７ａと、をさらに備える。これに相応して、追加のｅＮＢ５００ｂも、確立ユニット５０４ｂ、定義ユニット５０５ｂ、決定ユニット５０６ｂ、及び調整ユニット５０７ｂを備える。
【００６６】
第１のｅＮＢ５００ａの確立ユニット５０４ａは、この実施形態では、受信アンテナ構成５０１ａのいくつかの第１及び第２のオフセット候補を評価するように、並びに、評価に基づいて、オフセット候補の中から受信アンテナ構成の第１及び第２のオフセットを選択するように、さらに配置構成可能である。確立ユニット５０４ｂは、ＵＥ５９０との通信の事前に決定された品質インジケータが取得されるまで、送信アンテナ構成５０２ａの第１のオフセットを調整するように、及び、第１のオフセットに基づいて、送信アンテナ構成５０２ａの第２のオフセットを計算するように、配置構成することも可能である。第１のｅＮＢの受信及び送信のアンテナ構成５０１ａ、５０２ａのオフセットが確立されると、定義ユニット５０５ａは、図５ａを参照しながら上記で説明したように、第１のオフセットによって生成される偏波を垂直であるものと、及び第２のオフセットによって生成される偏波を水平であるものと定義し、受信アンテナ構成５０１ａのオフセットによって生成される偏波の定義を、第１のｅＮＢの送信アンテナ構成５０２ａのオフセットと調整するように、さらに配置構成可能である。これは、偏波が、追加のｅＮＢ５００ｂの偏波とも調整される前に、第１のｅＮＢ５００ａ内で調整されることを保証するために実行される。その後、第１のｅＮＢ５００ａの決定ユニット５０６ａは、受信アンテナ構成５０１ａの確立された第１及び第２のオフセットを適用する場合、ＵＥ５９０から受信する信号の電力を測定するように、並びに測定された電力に基づいて、ＵＥの偏波を決定するように、さらに配置構成可能である。送信アンテナ構成の確立された第１及び第２のオフセットを提供する場合、ＵＥへの送信の品質インジケータを測定するように、並びに測定された品質インジケータに基づいて、ＵＥの偏波を決定するようにも、構成可能である。
【００６７】
上記で言及及び説明した実施形態は、単なる例として与えられたものであり、本発明に限定されるべきものではない。当業者であれば、添付の特許請求の範囲で請求された本発明の範囲内にある他の解決策、使用法、目的、及び機能が明らかとなろう。
【図１】
0005537670.tif 000002
【図２ａ】
0005537670.tif 000003
【図２ｂ】
0005537670.tif 000004
【図２ｃ】
0005537670.tif 000005
【図３ａ】
0005537670.tif 000006
【図３ｂ】
0005537670.tif 000007
【図３ｃ】
0005537670.tif 000008
【図３ｄ】
0005537670.tif 000009
【図３ｅ】
0005537670.tif 000010
【図３ｆ】
0005537670.tif 000011
【図３ｇ】
0005537670.tif 000012
【図４】
0005537670.tif 000013
【図５ａ】
0005537670.tif 000014
【図５ｂ】
0005537670.tif 000015